(57)【要約】【課題】木材を横向きに積み上げていくログハウスは、竣工後に壁が動くので、多数の通しボルトにより補修している。このような竣工後のメンテナンスは、住んでいる人にとっては煩わしく費用もかかるなどの問題がある。【解決手段】縦コイルスプリング４Ａと、縦コイルスプリング４Ａの上端に螺合された上方縦ボルト４Ｃと、上方縦ボルトの上端に螺合された上方ナット４Ｄと、縦コイルスプリング４Ａの下端に螺合された下方縦ボルト４Ｆと、下方縦ボルトの下端に螺合された下方ナット４Ｇから構成されているログハウス用補強具と、ログハウス用補強具をログ材交差部分に装着したログハウスにおける補強構造である。【選択図】　　　　図１
2004052478.tif 000002
【特許請求の範囲】
【請求項１】
縦コイルスプリング（４Ａ）と、縦コイルスプリング（４Ａ）の上端に連結された上方調整ナット（４Ｂ）を介して螺合された上方縦ボルト（４Ｃ）と、上方縦ボルトの上端に螺合された上方ナット（４Ｄ）と、縦コイルスプリング（４Ａ）の下端に連結された下方調整ナット（４Ｅ）を介して螺合された下方縦ボルト（４Ｆ）と、下方縦ボルトの下端に螺合された下方ナット（４Ｇ）から構成されていることを特徴とするログハウス用補強具。
【請求項２】
Ｘ方向の角ログ材（２）と、Ｙ方向の角ログ材（３）と、ログハウス用補強具（４）から構成され、
Ｘ方向の角ログ材（２）は、角ログ材本体（２Ａ）に上方の相欠け（２Ａ１）と下方の相欠け（２Ａ２）が形成されていると共に、これら両相欠けを中心にＸ内方貫通孔（２Ａ３）とＸ外方貫通孔（２Ａ４）が上下方向をもって開設され、Ｙ方向の角ログ材（３）は、角ログ材本体（３Ａ）に上方の相欠け（３Ａ１）と下方の相欠け（３Ａ２）が形成されていると共に、これら両相欠けを中心にＹ内方貫通孔（３Ａ３）とＹ外方貫通孔（３Ａ４）が上下方向をもって開設され、かかるＸ方向の角ログ材（２）とＹ方向の角ログ材（３）を互いの相欠けを嵌合しながら交互に積上げて形成されたＸ方向の壁（２Ｃ）とＹ方向の壁（３Ｃ）において、Ｘ内方貫通孔（２Ａ３）が上下に連通するＸ内方縦通孔と、Ｘ外方貫通孔（２Ａ４）が上下に連通するＸ外方縦通孔と、Ｙ内方貫通孔（３Ａ３）が上下に連通するＹ内方縦通孔と、Ｙ外方貫通孔（３Ａ４）が上下に連通するＹ外方縦通孔に、それぞれログハウス用補強具（４）を貫入し緊締するよう構成されていることを特徴とするログハウスにおける補強構造。
【請求項３】
Ｘ方向の角ログ材（２）と、Ｙ方向の角ログ材（３）と、ログハウス用補強具（４）から構成され、ログハウス用補強具（４）は、縦コイルスプリング（４Ａ）と、縦コイルスプリング（４Ａ）の上端に連結された上方調整ナット（４Ｂ）を介して螺合された上方縦ボルト（４Ｃ）と、上方縦ボルトの上端に螺合された上方ナット（４Ｄ）と、縦コイルスプリング（４Ａ）の下端に連結された下方調整ナット（４Ｅ）を介して螺合された下方縦ボルト（４Ｆ）と、下方縦ボルトの下端に螺合された下方ナット（４Ｇ）から構成されている請求項２記載のログハウスにおける補強構造。
【請求項４】
Ｘ方向の角ログ材（２）と、Ｙ方向の角ログ材（３）と、ログハウス用補強具（４）から構成され、
Ｘ方向の角ログ材（２）は、角ログ材本体（２Ａ）の端部近傍における所定位置に刻設された上方の相欠け（２Ａ１）と下方の相欠け（２Ａ２）と、角ログ材本体（２Ａ）に上方の相欠け（２Ａ１）と下方の相欠け（２Ａ２）の位置より内方の一定位置に開設されたＸ内方貫通孔（２Ａ３）と、角ログ材本体（２Ａ）に上方の相欠け（２Ａ１）と下方の相欠け（２Ａ２）の位置より外方の一定位置に開設されたＸ外方貫通孔（２Ａ４）から構成され、
Ｙ方向の角ログ材（３）は、角ログ材本体（３Ａ）の端部近傍における所定位置に刻設された上方の相欠け（３Ａ１）と下方の相欠け（３Ａ２）と、角ログ材本体（３Ａ）に上方の相欠け（３Ａ１）と下方の相欠け（３Ａ２）の位置より内方の一定位置に開設されたＹ内方貫通孔（３Ａ３）と、角ログ材本体（３Ａ）に上方の相欠け（３Ａ１）と下方の相欠け（３Ａ２）の位置より外方の一定位置に開設されたＹ外方貫通孔（３Ａ４）から構成され、
Ｘ方向の角ログ材（２）とＹ方向の角ログ材（３）は、Ｘ方向の角ログ材（２）の上方の相欠け（２Ａ１）にＹ方向の角ログ材（３）の下方の相欠け（３Ａ２）を上方から嵌合し、Ｙ方向の角ログ材（３）の上方の相欠け（３Ａ１）にＸ方向の角ログ材（２）の下方の相欠け（２Ａ２）を上方から嵌合し、以下、同様方法でＹ方向の角ログ材（３）とＸ方向の角ログ材（２）を交互に積上げてＸ方向の壁（２Ｃ）とＹ方向の壁（３Ｃ）が構成され、
ログハウス用補強具（４）は、縦コイルスプリング（４Ａ）と、縦コイルスプリング（４Ａ）の上端に連結された上方調整ナット（４Ｂ）を介して螺合された上方縦ボルト（４Ｃ）と、上方縦ボルトの上端に螺合された上方ナット（４Ｄ）と、縦コイルスプリング（４Ａ）の下端に連結された下方調整ナット（４Ｅ）を介して螺合された下方縦ボルト（４Ｆ）と、下方縦ボルトの下端に螺合された下方ナット（４Ｇ）から構成され、
基礎（５）の上面にアンカーボルト（５Ａ）で固定された土台（５Ｂ）上に、当該土台におけるＹ方向部分の上面に下方のハーフログ材（６）を載置した後、Ｘ方向の角ログ材（２）とＹ方向の角ログ材（３）を積上げ、Ｘ方向の壁（２Ｃ）とＹ方向の壁（３Ｃ）を形成した後、Ｙ方向の壁（３Ｃ）上面に上方のハーフログ材（７）を載置し、Ｘ方向の壁（２Ｃ）におけるＸ内方貫通孔（２Ａ３、２Ａ３．．）が上下に連通するＸ内方縦通孔と、Ｘ外方貫通孔（２Ａ４、２Ａ４．．）が上下に連通するＸ外方縦通孔内にそれぞれログハウス用補強具（４）における連結状態の縦コイルスプリング（４Ａ）と上方縦ボルト（４Ｃ）と下方縦ボルト（４Ｆ）を貫通させ、土台（５Ｂ）とＸ方向の壁（２Ｃ）とが一体になるようそれぞれ上方ナット（４Ｄ）と下方ナット（４Ｇ）で緊締し、また、Ｙ方向の壁（３Ｃ）におけるＹ内方貫通孔（３Ａ３、３Ａ３．．）が上下に連通するＹ内方縦通孔と、Ｙ外方貫通孔（３Ａ４、３Ａ４．．）が上下に連通するＹ内方縦通孔内にそれぞれログハウス用補強具（４）における連結状態の縦コイルスプリング（４Ａ）と上方縦ボルト（４Ｃ）と下方縦ボルト（４Ｆ）を貫通させ、土台（５Ｂ）と下方のハーフログ材（６）とＹ方向の壁（３Ｃ）と上方のハーフログ材（７）とが一体になるようそれぞれ上方ナット（４Ｄ）と下方ナット（４Ｇ）で緊締するよう構成されていることを特徴とするログハウスにおける補強構造。
【発明の詳細な説明】
【０００１】
【発明の属する技術分野】
本発明は、新規な構成を有するログハウス用補強具とログハウスにおける補強構造に関するものである。
【０００２】
【従来の技術】
従来のログハウスは、下記のような構成となっている。
木材を横向きに積み上げていくログハウス（丸太組工法）の特徴は、竣工後に壁が動くことである。
材料の乾燥により年月とともに壁高が収縮したり、曲がりやねじれなどのあばれが生じたりしてくる。この変化はログ材交差部やそうではない箇所または日の当たる箇所、当たらない箇所で１段ずつの変化に差が生じることがあり、通しボルトなどで構造耐力の補強をしているこの工法では、ログ材の変化への対応は直接構造耐力につながる。
このようなことからログ材の変化の観測や一般的な木造建築物では考えられない作業で、１棟当たり３０本以上もの通しボルトがあり、経験者でなければ難しい作業である。
【０００３】
【発明が解決しようとする課題】
従来の技術で述べたものにあっては、下記のような問題点を有していた。
竣工後の壁の動きに関しては、早急に対応していない場合、ログ材の曲がりやねじれは癖となり、修復が困難な場合もあるし、構造体としても安心できない。隙間風などが生じた場合は不快感極まりないものである。
など以前の技術では竣工後のメンテナンスは必要不可欠であるが、住んでいる人にとっては煩わしく費用もかかるため、ログハウスを懸念する原因の一つである。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
請求項１記載の発明は、縦コイルスプリング４Ａと、縦コイルスプリング４Ａの上端に連結された上方調整ナット４Ｂを介して螺合された上方縦ボルト４Ｃと、上方縦ボルトの上端に螺合された上方ナット４Ｄと、縦コイルスプリング４Ａの下端に連結された下方調整ナット４Ｅを介して螺合された下方縦ボルト４Ｆと、下方縦ボルトの下端に螺合された下方ナット４Ｇから構成されていることを特徴とするものである。
【０００６】
請求項２記載の発明は、Ｘ方向の角ログ材２と、Ｙ方向の角ログ材３と、ログハウス用補強具４から構成され、
Ｘ方向の角ログ材２は、角ログ材本体２Ａに上方の相欠け２Ａ１と下方の相欠け２Ａ２が形成されていると共に、これら両相欠けを中心にＸ内方貫通孔２Ａ３とＸ外方貫通孔２Ａ４が上下方向をもって開設され、
Ｙ方向の角ログ材３は、角ログ材本体３Ａに上方の相欠け３Ａ１と下方の相欠け３Ａ２が形成されていると共に、これら両相欠けを中心にＹ内方貫通孔３Ａ３とＹ外方貫通孔３Ａ４が上下方向をもって開設され、
かかるＸ方向の角ログ材２とＹ方向の角ログ材３を互いの相欠けを嵌合しながら交互に積上げて形成されたＸ方向の壁２ＣとＹ方向の壁３Ｃにおいて、Ｘ内方貫通孔２Ａ３が上下に連通するＸ内方縦通孔と、Ｘ外方貫通孔２Ａ４が上下に連通するＸ外方縦通孔と、Ｙ内方貫通孔３Ａ３が上下に連通するＹ内方縦通孔と、Ｙ外方貫通孔３Ａ４が上下に連通するＹ外方縦通孔に、それぞれログハウス用補強具４を貫入し緊締するよう構成されていることを特徴とするものである。
【０００７】
請求項３記載の発明は、請求項２記載の発明において、Ｘ方向の角ログ材２と、Ｙ方向の角ログ材３と、ログハウス用補強具４から構成され、ログハウス用補強具４は、縦コイルスプリング４Ａと、縦コイルスプリング４Ａの上端に連結された上方調整ナット４Ｂを介して螺合された上方縦ボルト４Ｃと、上方縦ボルトの上端に螺合された上方ナット４Ｄと、縦コイルスプリング４Ａの下端に連結された下方調整ナット４Ｅを介して螺合された下方縦ボルト４Ｆと、下方縦ボルトの下端に螺合された下方ナット４Ｇから構成されていることを特徴とするものである。
【０００８】
請求項４記載の発明は、Ｘ方向の角ログ材２と、Ｙ方向の角ログ材３と、ログハウス用補強具４から構成され、
Ａ．Ｘ方向の角ログ材２は、角ログ材本体２Ａの端部近傍における所定位置に刻設された上方の相欠け２Ａ１と下方の相欠け２Ａ２と、角ログ材本体２Ａに上方の相欠け２Ａ１と下方の相欠け２Ａ２の位置より内方の一定位置に開設されたＸ内方貫通孔２Ａ３と、角ログ材本体２Ａに上方の相欠け２Ａ１と下方の相欠け２Ａ２の位置より外方の一定位置に開設されたＸ外方貫通孔２Ａ４から構成され、
Ｂ．Ｙ方向の角ログ材３は、角ログ材本体３Ａの端部近傍における所定位置に刻設された上方の相欠け３Ａ１と下方の相欠け３Ａ２と、角ログ材本体３Ａに上方の相欠け３Ａ１と下方の相欠け３Ａ２の位置より内方の一定位置に開設されたＹ内方貫通孔３Ａ３と、角ログ材本体３Ａに上方の相欠け３Ａ１と下方の相欠け３Ａ２の位置より外方の一定位置に開設されたＹ外方貫通孔３Ａ４から構成され、
Ｃ．Ｘ方向の角ログ材２とＹ方向の角ログ材３は、Ｘ方向の角ログ材２の上方の相欠け２Ａ１にＹ方向の角ログ材３の下方の相欠け３Ａ２を上方から嵌合し、Ｙ方向の角ログ材３の上方の相欠け３Ａ１にＸ方向の角ログ材２の下方の相欠け２Ａ２を上方から嵌合し、以下、同様方法でＹ方向の角ログ材３とＸ方向の角ログ材２を交互に積上げてＸ方向の壁２ＣとＹ方向の壁３Ｃが構成され、
Ｄ．ログハウス用補強具４は、縦コイルスプリング４Ａと、縦コイルスプリング４Ａの上端に連結された上方調整ナット４Ｂを介して螺合された上方縦ボルト４Ｃと、上方縦ボルトの上端に螺合された上方ナット４Ｄと、縦コイルスプリング４Ａの下端に連結された下方調整ナット４Ｅを介して螺合された下方縦ボルト４Ｆと、下方縦ボルトの下端に螺合された下方ナット４Ｇから構成され、
Ｅ．基礎５の上面にアンカーボルト５Ａで固定された土台５Ｂ上に、当該土台におけるＹ方向部分の上面に下方のハーフログ材６を載置した後、Ｘ方向の角ログ材２とＹ方向の角ログ材３を積上げ、Ｘ方向の壁２ＣとＹ方向の壁３Ｃを形成した後、Ｙ方向の壁３Ｃ上面に上方のハーフログ材７を載置し、Ｘ方向の壁２ＣにおけるＸ内方貫通孔２Ａ３、２Ａ３．．が上下に連通するＸ内方縦通孔と、Ｘ外方貫通孔２Ａ４、２Ａ４．．が上下に連通するＸ外方縦通孔内にそれぞれログハウス用補強具４における連結状態の縦コイルスプリング４Ａと上方縦ボルト４Ｃと下方縦ボルト４Ｆを貫通させ、土台５ＢとＸ方向の壁２Ｃとが一体になるようそれぞれ上方ナット４Ｄと下方ナット４Ｇで緊締し、また、Ｙ方向の壁３ＣにおけるＹ内方貫通孔３Ａ３、３Ａ３．．が上下に連通するＹ内方縦通孔と、Ｙ外方貫通孔３Ａ４、３Ａ４．．が上下に連通するＹ内方縦通孔内にそれぞれログハウス用補強具４における連結状態の縦コイルスプリング４Ａと上方縦ボルト４Ｃと下方縦ボルト４Ｆを貫通させ、土台５Ｂと下方のハーフログ材６とＹ方向の壁３Ｃと上方のハーフログ材７とが一体になるようそれぞれ上方ナット４Ｄと下方ナット４Ｇで緊締するよう構成されていることを特徴とするものである。
【０００９】
【発明の実施の形態】
以下、本発明の実施の形態を実施例にもとづき図面を参照して説明する。
４は第１発明のログハウス用補強具である。
縦コイルスプリング４Ａと、縦コイルスプリング４Ａの上端に連結された上方調整ナット４Ｂを介して螺合された上方縦ボルト４Ｃと、上方縦ボルトの上端に螺合された上方ナット４Ｄと、縦コイルスプリング４Ａの下端に連結された下方調整ナット４Ｅを介して螺合された下方縦ボルト４Ｆと、下方縦ボルトの下端に螺合された下方ナット４Ｇから構成されている。
【００１０】
１は第２発明のログハウスにおける補強構造で、Ｘ方向の角ログ材２と、Ｙ方向の角ログ材３と、ログハウス用補強具４から構成されている。
Ａ．Ｘ方向の角ログ材２は、角ログ材本体２Ａの端部近傍における所定位置に刻設された上方の相欠け２Ａ１と下方の相欠け２Ａ２と、角ログ材本体２Ａに上方の相欠け２Ａ１と下方の相欠け２Ａ２の位置より内方の一定位置に開設されたＸ内方貫通孔２Ａ３と、角ログ材本体２Ａに上方の相欠け２Ａ１と下方の相欠け２Ａ２の位置より外方の一定位置に開設されたＸ外方貫通孔２Ａ４から構成されている。
【００１１】
Ｂ．Ｙ方向の角ログ材３は、角ログ材本体３Ａの端部近傍における所定位置に刻設された上方の相欠け３Ａ１と下方の相欠け３Ａ２と、角ログ材本体３Ａに上方の相欠け３Ａ１と下方の相欠け３Ａ２の位置より内方の一定位置に開設されたＹ内方貫通孔３Ａ３と、角ログ材本体３Ａに上方の相欠け３Ａ１と下方の相欠け３Ａ２の位置より外方の一定位置に開設されたＹ外方貫通孔３Ａ４から構成されている。
【００１２】
Ｃ．Ｘ方向の角ログ材２とＹ方向の角ログ材３は、Ｘ方向の角ログ材２の上方の相欠け２Ａ１にＹ方向の角ログ材３の下方の相欠け３Ａ２を上方から嵌合し、Ｙ方向の角ログ材３の上方の相欠け３Ａ１にＸ方向の角ログ材２の下方の相欠け２Ａ２を上方から嵌合し、以下、同様方法でＹ方向の角ログ材３とＸ方向の角ログ材２を交互に積上げてＸ方向の壁２ＣとＹ方向の壁３Ｃが構成される。
【００１３】
Ｄ．この結果、これらのＸ方向の壁２ＣとＹ方向の壁３Ｃには、Ｘ内方貫通孔２Ａ３、２Ａ３．．が上下に連通するＸ内方縦通孔と、Ｘ外方貫通孔２Ａ４、２Ａ４．．が上下に連通するＸ外方縦通孔と、Ｙ内方貫通孔３Ａ３、３Ａ３．．が上下に連通するＹ内方縦通孔と、Ｙ外方貫通孔３Ａ４、３Ａ４．．が上下に連通するＹ外方縦通孔が形成される。
【００１４】
Ｅ．ログハウス用補強具４は、縦コイルスプリング４Ａと、縦コイルスプリング４Ａの上端に連結された上方調整ナット４Ｂを介して螺合された上方縦ボルト４Ｃと、上方縦ボルトの上端に螺合された上方ナット４Ｄと、縦コイルスプリング４Ａの下端に連結された下方調整ナット４Ｅを介して螺合された下方縦ボルト４Ｆと、下方縦ボルトの下端に螺合された下方ナット４Ｇから構成されている。
【００１５】
Ｆ．基礎５の上面にアンカーボルト５Ａで固定された土台５Ｂ上に、当該土台におけるＹ方向部分の上面に下方のハーフログ材６を載置した後、Ｘ方向の角ログ材２とＹ方向の角ログ材３を積上げ、Ｘ方向の壁２ＣとＹ方向の壁３Ｃを形成した後、Ｙ方向の壁３Ｃ上面に上方のハーフログ材７を載置し、ログハウス用補強具４における連結状態の縦コイルスプリング４Ａと上方縦ボルト４Ｃと下方縦ボルト４ＦをＸ内方縦通孔内とＸ外方縦通孔内にそれぞれ貫通させ、土台５ＢとＸ方向の壁２Ｃとが一体になるようそれぞれ上方ナット４Ｄと下方ナット４Ｇで緊締する。
また、ログハウス用補強具４における連結状態の縦コイルスプリング４Ａと上方縦ボルト４Ｃと下方縦ボルト４ＦをＹ内方縦通孔内とＹ外方縦通孔内にそれぞれ貫通させ、土台５Ｂと下方のハーフログ材６とＹ方向の壁３Ｃと上方のハーフログ材７とが一体になるようそれぞれ上方ナット４Ｄと下方ナット４Ｇで緊締する。
【００１６】
【発明の効果】
本発明は、上述の通り構成されているので次に記載する効果を奏する。
１．ログハウスの最下の課題である壁高の収縮についても、縦コイルスプリングを引っ張り状態にてセットするため、常時、収縮を吸収でき、壁に圧縮する力を加えることができるため、以下の効果が得られる。
Ａ．建設後のメンテナンスを著しく軽減できる。
Ｂ．隙間風の進入を防ぐことができる。
Ｃ．木材のあばれを防ぐことができる。
Ｄ．構造耐力を維持することができる。
など、さまざまな効果が得られ、ログハウスを懸念する原因を克服できるものである。
２．単純なために誰でも組立が短期間にて容易にできる。
３．ログハウス用補強具４はナットとスプリングの組合せで構成されているので、非常に単純な構造のため部品数も少なく安価にて製造ができる。
【図面の簡単な説明】
【図１】全体の斜視図である。
【図２】同上の１部を切欠いた要部の正面図である。
【図３】図２の１部を省略した要部の分解斜視図である。
【図４】ログハウス用補強具の分解斜視図である。
【図５】間仕切り部分の１部を省略した要部の分解斜視図である。
【符号の説明】
１　ログハウスにおける補強構造
２　Ｘ方向の角ログ材
３　Ｙ方向の角ログ材
４　ログハウス用補強具
【図１】
2004052478.tif 000003
【図２】
2004052478.tif 000004
【図３】
2004052478.tif 000005
【図４】
2004052478.tif 000006
【図５】
2004052478.tif 000007